(57)【要約】  対応する動作装置を有する複数の電気機器および機構を含む、多機能統合高電圧スイッチギヤであって、前記電気機器および機構のうちの少なくとも第１の電気機器／機構は回路遮断器であり、前記動作装置のうちの少なくとも第１の動作装置は、前記回路遮断器に関連付けられたモータ作動式動作装置である。本発明の多機能統合高電圧スイッチギヤは、前記モータ作動式動作装置が、前記モータ作動式動作装置と前記動作装置のうちの少なくとも第２の動作装置とを制御するために適合された電気駆動制御システムに動作可能に接続されていることを特徴とする。
2021527381.tif 000002
【特許請求の範囲】
【請求項１】
動作部材（５、６、７）に動作可能に接続された（２１０、３１０、４１０）対応する動作装置（２１、３１、４１；５２１、５３１、５４１）を有する複数の電気機器および機構（２、３、４；５０２、５０３、５０４）を含む、多機能統合高電圧スイッチギヤ（１、１００）であって、前記電気機器および機構のうちの少なくとも第１の電気機器／機構は回路遮断器（２；５０２）であり、前記動作装置のうちの少なくとも第１の動作装置は、前記回路遮断器（２；５０２）に関連付けられたモータ作動式動作装置（２１；５２１）であり、
前記モータ作動式動作装置（２１；５２１）は、前記モータ作動式動作装置（２１；５２１）と前記動作装置のうちの少なくとも第２の動作装置（３１、４１；５３１、５４１）とを制御するために適合された電気駆動制御システム（２０；５２０）に動作可能に接続されることを特徴とする、多機能統合高電圧スイッチギヤ（１、１００）。
【請求項２】
前記電気駆動制御システム（２０；５２０）は、制御信号（２０２、２０３、２０４；５３、５６、５９）を前記モータ作動式動作装置（２１；５２１）と少なくとも前記第２の動作装置（３１、４１；５３１、５４１）とに送信し、それらから、前記モータ作動式動作装置（２１；５２１）と前記第２の動作装置（３１、４１；５３１、５４１）との動作状態を示す信号（２０２、２０３、２０４；５３、５６、５９）を受信するように適合されることを特徴とする、請求項１に記載の多機能統合高電圧スイッチギヤ（１、１００）。
【請求項３】
前記複数の電気機器および機構（２、３、４；５０２、５０３、５０４）のうちの１つ以上は、前記複数の電気機器および機構（２、３、４；５０２、５０３、５０４）のうちの前記１つ以上の動作状態を示す信号（２０２、２０３、２０４；５３、５６、５９）を前記電気駆動制御システム（２０；５２０）に送信するように適合された１つ以上の補助装備を含むことを特徴とする、請求項１または２に記載の多機能統合高電圧スイッチギヤ（１、１００）。
【請求項４】
前記動作装置（２１、３１、４１；５２１、５３１、５４１）のうちの１つ以上は、前記動作装置（２１、３１、４１；５２１、５３１、５４１）のうちの前記１つ以上の動作状態を示すデジタル信号（５３、５６、５９）を前記電気駆動制御システム（２０；５２０）に送信するように適合されたデジタルインターフェイス（５１、５４、５７）を含むことを特徴とする、先行する請求項のいずれか１項に記載の多機能統合高電圧スイッチギヤ（１、１００）。
【請求項５】
前記電気機器および機構（３、４；５０３、５０４）は、回路遮断器、断路器、切断回路遮断器、接地スイッチ、高速作動接地スイッチ、組み合わされた断路器および接地スイッチ、ブロック機構のうちの１つ以上から選択されることを特徴とする、先行する請求項のいずれか１項に記載の多機能統合高電圧スイッチギヤ（１、１００）。
【請求項６】
前記補助装備は、補助接触子、位置スイッチ、動作装置保護リレー、インターロックリレーのうちの１つ以上から選択されることを特徴とする、請求項３〜５のいずれか１項に記載の多機能統合高電圧スイッチギヤ（１、１００）。
【請求項７】
前記電気駆動制御システム（２０；５２０）は、前記電気機器および機構（２、３、４；５０２、５０３、５０４）のうちの１つ以上に電力供給（８２、８３、８４）を提供し、ならびに／もしくは、前記電気機器および機構（２、３、４；５０２、５０３、５０４）のうちの１つ以上のための制御論理をプログラムするように適合されることを特徴とする、先行する請求項のいずれか１項に記載の多機能統合高電圧スイッチギヤ（１、１００）。
【請求項８】
前記電気機器のうちの第１の電気機器は、対応する第１のモータ作動式動作装置（２１；５２１）を有する回路遮断器（２、５０２）であること、および、１つ以上のさらに別の電気機器（３、４；５０３、５０４）は、断路器、接地スイッチ、高速作動接地スイッチ、組み合わされた断路器および接地スイッチのうちの１つ以上から選択されており、前記電気駆動制御システム（２０；５２０）とデジタル通信（５３、５６、５９）している対応するモータ作動式動作装置（３１、４１；５３１、５４１）を有することを特徴とする、先行する請求項のいずれか１項に記載の多機能統合高電圧スイッチギヤ（１、１００）。
【請求項９】
前記モータ作動式動作装置（２１、３１、４１；５２１、５３１、５４１）のうちの１つ以上は、前記モータ作動式動作装置（２１、３１、４１；５２１、５３１、５４１）のうちの前記１つ以上の動作状態を示すデジタル信号（５３、５６、５９）を前記電気駆動制御システム（２０；５２０）に送信するように適合されたデジタルインターフェイス（５１、５４、５７）を含むことを特徴とする、請求項８に記載の多機能統合高電圧スイッチギヤ（１、１００）。
【請求項１０】
前記モータ作動式動作装置（２１、３１、４１；５２１、５３１、５４１）のうちの１つ以上は、対応する電気機器（２、３、４；５０２、５０３、５０４）の動作状態を検出し、前記動作状態を示す信号（５２、５５、５８）を出力するように適合されたトランスデューサを含む電子ユニットを含むことを特徴とする、請求項８または９に記載の多機能統合高電圧スイッチギヤ（１、１００）。
【請求項１１】
前記デジタルインターフェイス（５１、５４、５７）は、トランスデューサ信号処理および位置制御（５２、５５、５８）のための電子基板を含むことを特徴とする、請求項１０に記載の多機能統合高電圧スイッチギヤ（１、１００）。
【発明の詳細な説明】
【技術分野】
【０００１】
説明
本発明は、多機能高電圧スイッチギヤに関し、特に、統合されたデジタル制御および通信機能性を有する多機能統合高電圧スイッチギヤに関する。本発明のために、「高電圧」という用語は、１０００ボルトＡＣを上回る動作電圧を示すために使用される。
【背景技術】
【０００２】
たとえば回路遮断器機能性、切断機能性、接地／高速接地機能性、および同様の機能性といった複数の機能性を組み合わせる統合スイッチギヤにおいて高電圧機器を関連付けることができることは、従来技術から公知である。多機能スイッチギヤの例は、ガス絶縁スイッチギヤ、ハイブリッドモジュール（たとえばＡＢＢ  ＰＡＳＳモジュール）、空気絶縁スイッチギヤ、接地スイッチと組み合わされた切断回路遮断器、および同様のスイッチギヤである。
【０００３】
一般に、多機能高電圧スイッチギヤは昨今、リレーおよび接触器などのアナログ部品に基づいた従来のローカル制御キュービクル（Local Control Cubicle：ＬＣＣ）と置き換えるために、ＰＬＣ（Programmable Logic Control：プログラマブル論理制御）に基づいた電子ローカル制御キュービクルを採用し始めている。前述のような多機能高電圧スイッチギヤは、回路遮断器に加えて、１つ以上の断路器および／または接地スイッチおよび／または高速作動接地スイッチも管理するために、ローカル制御キュービクルを必要とする。
【０００４】
回路遮断器、断路器、接地スイッチ、高速作動接地スイッチは、単段または多段の機械的減速装置を有するギヤモータの使用に基づく専用の電気機械的駆動装置によって都合よく動作可能であり、また、ローカル制御キュービクルによって使用される物理的な補助接触子を設けることができ、それらはローカル制御キュービクルにアナログコネクタおよびケーブルを通してリンクされる、ということが知られている。
【０００５】
補助接触子は、ギヤ減速装置、エンドレススクリュー、カムディスクアクチュエータ、および同様の装備を一般に含む異なる機械的方策によって、駆動シャフトにリンクされており、当該機械的方策は駆動筐体においてある空間を必要とし、それにより、製造コストに著しい影響を及ぼす。
【０００６】
電子ローカル制御キュービクルに接続されるために、各駆動装置は、Ａ／Ｄ変換器を有する専用のＩ／Ｏ基板を必要とし、それは、管理すべき機器（回路遮断器、断路器、接地スイッチ、高速作動接地スイッチ）の数に依存して、ローカル制御キュービクルにおける空間占有率およびコストの著しい変動性を有することを意味する。
【０００７】
さらに、補助接触子は、生産中、公差を補償するために手動で調節されなければならない。高電圧能動部品の主接触子よりもはるかに小さいストロークを有するため、この調節は通常、比較的長く複雑なプロセスであり、熟練したオペレータを必要とする。このプロセスは、駆動装置がたとえば出荷または保守のために高電圧機器上に再搭載されるたびに繰り返されなければならない。
【０００８】
さらに別の欠点として、従来の方策の使用は、駆動筐体に組み込まれ得る補助接触子の最大数に起因して、制御能力の制限となる場合がある。この問題は通常、ローカル制御キュービクルにおけるリレーの使用によって克服されるが、そのような方策はコストおよび空間占有の増加をもたらす。
【発明の概要】
【課題を解決するための手段】
【０００９】
上述の考慮事項に基づいて、上述された制限および問題が克服されることを可能にする多機能高電圧スイッチギヤのための利用可能な技術的方策を有する必要がある。
【００１０】
よって、本開示は、上述の欠点のうちの少なくともいくつかを克服することを可能にする、デジタル制御機能性を有する多機能統合高電圧スイッチギヤを提供することを目的とする。
【００１１】
特に、本開示は、従来の高電圧スイッチギヤと比較して回路および配線が減少され単純化された多機能統合高電圧スイッチギヤを提供することを目的とする。
【００１２】
さらに、本開示は、所望の機能性を達成するための動作機構が単純化された多機能統合高電圧スイッチギヤを提供することを目的とする。
【００１３】
また、本開示は、従来の高電圧スイッチギヤと比較してアナログ部品の数が減少され、同時に機能性が増加されるかまたは少なくとも維持された多機能統合高電圧スイッチギヤを提供することを目的とする。
【００１４】
加えて、本開示は、製造または保守中の調節動作が単純化された多機能統合高電圧スイッチギヤを提供することを目的とする。
【００１５】
さらに、本開示は、必要とされるキュービクルの数とキュービクル内部の部品が占める体積との双方の観点から見てよりシンプルでコンパクトな構造を有する多機能統合高電圧スイッチギヤを提供することを目的とする。
【００１６】
また、本開示は、部品の数が減少したコンパクトな構造を有し、信頼性があり、競争力の高いコストで比較的容易に生産される多機能統合高電圧スイッチギヤを提供することを目的とする。
【００１７】
このため、本開示は、対応する動作装置を有する複数の電気機器および機構を含む、多機能統合高電圧スイッチギヤであって、前記電気機器および機構のうちの少なくとも第１の電気機器／機構は回路遮断器であり、前記動作装置のうちの少なくとも第１の動作装置は、前記回路遮断器に関連付けられたモータ作動式動作装置である、多機能統合高電圧スイッチギヤに関する。本発明の多機能統合高電圧スイッチギヤは、前記モータ作動式動作装置が、前記モータ作動式動作装置と前記動作装置のうちの少なくとも第２の動作装置とを制御するために適合された電気駆動制御システムに動作可能に接続されることを特徴とする。
【００１８】
以下の説明においてより良好に説明されるように、複数の機能性が電気的／デジタル動作機構において統合されている、本発明の多機能高電圧スイッチギヤの制御システムの革新的な構造のおかげで、上述の問題を回避するかまたは少なくとも大幅に軽減することができる。
【００１９】
実際には、本開示の多機能統合高電圧スイッチギヤでは、複数の異なる電気機器および機構に関連する複数の機能性を、全く同一の電気駆動制御システム、すなわち、回路遮断器のモータ作動式動作装置の電気駆動制御システムにおいて統合することができ、それにより、さまざまな動作装置を中央制御キュービクルに機能的に接続するための複雑な配線および回路を不要にする。
【００２０】
言い換えれば、ここに開示される多機能統合高電圧スイッチギヤにおける、先行技術のスイッチギヤのアナログ部品に基づいた従来の中央制御キュービクルによって管理される機能性は、スイッチギヤに存在する電気駆動制御システムによって管理される。このように、先行技術のシステムにおいて現在使用されている電気機械部品のうちのいくつかは、よりシンプルで安価のセンサによって置き換えられ得る。
【００２１】
このため、以下の説明においてより良好に説明されるように、本開示に従った多機能統合高電圧スイッチギヤの典型的な一実施形態では、前記電気駆動制御システムは、制御信号を前記回路遮断器の前記モータ作動式動作装置と少なくとも前記第２の動作装置とに送信し、それらから、前記回路遮断器の前記モータ作動式動作装置と前記第２の動作装置との動作状態を示す信号を受信するように適合され、それにより、複数の動作装置に対して位置感知および制御機能性を実行する。
【００２２】
特に、本開示に従った多機能統合高電圧スイッチギヤの一実施形態では、前記複数の電気機器および機構のうちの１つ以上は、前記複数の電気機器および機構のうちの前記１つ以上の動作状態を示す信号を前記電気駆動制御システムに送信するように適合された１つ以上の補助装備を含む。たとえば、前記複数の電気機器のうちの前記１つ以上の動作状態を示す前記信号は、接地スイッチの開または閉状態を示す信号、またはインターロックシステムにおけるブロック機構の位置を示す信号、または同様の信号であり得る。
【００２３】
多機能統合高電圧スイッチギヤの特定の一実施形態では、前記動作装置のうちの１つ以上は、前記動作装置のうちの前記１つ以上の動作状態を示すデジタル信号を前記電気駆動制御システムに送信するように適合されたデジタルインターフェイスを含む。
【００２４】
実際には、この実施形態によれば、たとえば断路器の電気機械的駆動装置といった動作装置における１つ以上のアナログ補助装備は、デジタル信号を生成するように適合された電子ユニットによって置き換えられ得る。動作装置はその場合、電気駆動制御システム（ローカル制御キュービクル）に、たとえばシリアルポートによってデジタル接続される。
【００２５】
このように、電気駆動制御システムは、ある数の動作装置（たとえば電気機械的駆動装置）を単一の基板を用いてＡ／Ｄ変換なしで管理することができ、空間、コストを節約し、変動性を強力に減少させる。
【００２６】
ここに開示される多機能統合高電圧スイッチギヤの典型的な実施形態では、前記電気機器および機構は、たとえば、回路遮断器、断路器、切断回路遮断器、接地スイッチ、高速作動接地スイッチ、組み合わされた断路器および接地スイッチ、ブロックおよびインターロック機構のうちの１つ以上から都合よく選択され得る。
【００２７】
ここに開示される多機能統合高電圧スイッチギヤで使用され得る補助装備の代表例は、補助接触子、位置スイッチ、位置表示器、動作装置保護リレー、インターロックリレーのうちの１つ以上であり得る。
【００２８】
ここに開示される多機能統合高電圧スイッチギヤの好ましい一実施形態では、前記電気駆動制御システムはまた、前記電気機器および機構のうちの１つ以上に電力供給を提供するように適合される。
【００２９】
多機能統合高電圧スイッチギヤの非常に好ましい一実施形態では、電気駆動制御システムはまた、前記電気機器および機構のうちの１つ以上のための制御論理をプログラムするように適合される。実際には、この実施形態によれば、１つ以上の動作装置のための機能性の修正、たとえば、接地スイッチおよびブロック機構のためのインターロック機能性の修正が必要とされる場合、そのような修正は、電気駆動制御システムの論理機能の再プログラミングによって、物理的変化なく容易に実行され得る。
【００３０】
本開示に従った多機能統合高電圧スイッチギヤの例示的な一実施形態では、前記電気機器のうちの第１の電気機器は、対応する第１のモータ作動式動作装置を有する回路遮断器であり、また、１つ以上のさらに別の電気機器は、断路器、接地スイッチ、高速作動接地スイッチ、組み合わされた断路器および接地スイッチのうちの１つ以上から選択される、前記１つ以上のさらに別の電気機器には、前記電気駆動制御システムとデジタル通信している対応するモータ作動式動作装置（駆動装置）が都合よく設けられる。
【００３１】
この目的のために、前記モータ作動式動作装置のうちの１つ以上は、前記モータ作動式動作装置のうちの前記１つ以上の動作状態を示すデジタル信号を前記電気駆動制御システムに送信するように適合されたデジタルインターフェイスを都合よく含む。
【００３２】
実際には、ここに開示される多機能統合高電圧スイッチギヤのこのさらに別の例示的な実施形態によれば、電気機器（たとえば、断路器、接地スイッチ、高速作動接地スイッチ、組み合わされた断路器および接地スイッチ）には、補助接触子および関連する機械的システムがトランスデューサを含む電子ユニットによって置き換えられた対応するモータ作動式動作装置が、都合よく設けられる。前記トランスデューサは、対応する電気機器の動作状態を検出し、前記動作状態を示す信号を出力するように適合される。
【００３３】
モータ作動式動作装置と電気駆動制御システムとの間のデジタルインターフェイスは、トランスデューサ信号処理および位置制御のための電子基板を都合よく含み得る。そのような電子基板は、モータ作動式動作装置に組み込まれるか、または、電気駆動制御システムに位置し得る。
【００３４】
このように、電気駆動制御システム（ローカル制御キュービクル）は、ある数のモータ作動式動作装置を単一の基板を用いてＡ／Ｄ変換なしで都合よく管理することができ、空間およびコストを節約し、変動性を強力に減少させる。
【００３５】
本発明のさらなる特徴および利点は、添付図面に例として示された、本発明の多機能統合高電圧スイッチギヤの好ましいものの排他的ではない実施形態の説明からより明らかになるであろう。
【図面の簡単な説明】
【００３６】
【図１】この発明に従った多機能統合高電圧スイッチギヤの一般的な一実施形態の概略ブロック図である。
【図２】この発明に従った多機能統合高電圧スイッチギヤのさらに別の一般的な実施形態の概略ブロック図である。
【図３】この発明に従った多機能統合高電圧スイッチギヤの例示的な一実施形態の概略ブロック図である。
【発明を実施するための形態】
【００３７】
添付図面を参照して、そのより一般的な定義において参照番号１、１００によって表わされた、本開示の多機能統合高電圧スイッチギヤは、対応する動作装置２１、３１、４１；５２１、５３１、５４１を有する複数の電気機器および機構２、３、４；５０２、５０３、５０４を含む。
【００３８】
前記電気機器および機構のうちの少なくとも第１の機器／機構２、５０２は回路遮断器であり、また、一般に、前記電気機器および機構３、４；５０３、５０４は、たとえば、回路遮断器、断路器、切断回路遮断器、接地スイッチ、高速作動接地スイッチ、組み合わされた断路器および接地スイッチ、ブロック機構のうちの１つ以上であり得る。
【００３９】
動作装置２１、３１、４１；１２１、１３１、１４１；５２１、５３１、５４１は、動作部材５、６、７に動作可能に接続される（２１０、３１０、４１０）。動作部材は、機器の種類に依存して、たとえば、回路遮断器の可動接触子アセンブリ、断路器の可動接触子アセンブリ、接地スイッチの接地ブレード、切断回路遮断器のブロック機構、および同様の動作部材であり得る。
【００４０】
本開示の多機能統合高電圧スイッチギヤ１、１００の際立った特徴のうちの１つは、前記動作装置のうちの少なくとも第１の動作装置が、前記回路遮断器２、５０２に関連付けられ、電気駆動制御システム２０；５２０に動作可能に接続されたモータ作動式動作装置２１；５２１であるという事実によって与えられる。
【００４１】
本開示の多機能統合高電圧スイッチギヤ１、１００のさらに別の際立った特徴は、電気駆動制御システム２０；５２０が、前記回路遮断器２、５０２の前記モータ作動式動作装置２１；５２１だけでなく、前記動作装置のうちの少なくとも第２の動作装置３１、４１；５３１、５４１も制御するために適合されるという事実によって与えられる。
【００４２】
電気駆動制御システム２０；５２０にはまた、顧客インターフェイスのためのデジタル通信手段２００および／またはアナログ通信手段８５と電力供給手段８とが都合よく設けられる。
【００４３】
このように、図１を参照して、複数の異なる電気機器および機構２、３、４に関連する複数の機能性を、回路遮断器２の電気駆動制御システム２０において統合することができ、それにより、必要とされる部品の数を減少させ、システムの回路および配線を単純化する。
【００４４】
電気駆動制御システム２０は、制御信号２０２、２０３、２０４を、回路遮断器２の前記モータ作動式動作装置２１と、他の機器および機構３、４の動作装置３１、４１とに送信するように都合よく適合される。さらに、電気駆動制御システム２０はまた、機器および機構２、３、４から、対応する動作装置２１、３１、４１の動作状態を示す信号２０２、２０３、２０４を受信するように都合よく適合され、それにより、さまざまな機器および機構２、３、４のフル制御および監視を実行する。
【００４５】
この目的のために、前記電気機器および機構２、３、４のうちの１つ以上は、前記電気機器および機構２、３、４の動作状態を示す信号２０２、２０３、２０４を電気駆動制御システム２０に送信するように適合された１つ以上の補助装備を都合よく含む。
【００４６】
たとえば、前記補助装備は、補助接触子、位置スイッチ、位置表示器、接触器、動作装置保護リレー、インターロックリレーのうちの１つ以上であり得る。
【００４７】
図３を参照して、本開示に従った多機能統合高電圧スイッチギヤ１００の一実施形態では、動作装置５２１、５３１、５４１のうちの１つ以上は、対応する動作装置５２１、５３１、５４１の動作状態を示すデジタル信号５３、５６、５９を電気駆動制御システム５２０に送信するように適合されたデジタルインターフェイス５１、５４、５７を都合よく含み得る。
【００４８】
好ましくは、図２に示すように、電気駆動制御システム２０はまた、前記電気機器および機構２、３、４のうちの１つ以上に電力供給８２、８３、８４を提供するように都合よく適合される。
【００４９】
図３を参照して、本開示の例示的な一実施形態では、多機能統合高電圧スイッチギヤ１００は回路遮断器５０２を含み、回路遮断器５０２は、回路遮断器５０２の接触子アセンブリ５０５に動作可能に接続された対応する第１のモータ作動式動作装置５２１を有する。
【００５０】
さらに、多機能統合高電圧スイッチギヤ１００は、断路器、接地スイッチ、高速作動接地スイッチ、組み合わされた断路器および接地スイッチのうちの１つ以上から選択される、１つ以上のさらに別の電気機器５０３、５０４を含む。電気機器５０３、５０４には、対応するモータ作動式動作装置５３１、５４１（電気駆動装置）が設けられ、それらは、対応する機器５０３、５０４の接触子アセンブリ５０６、５０７に動作可能に接続される。
【００５１】
モータ作動式動作装置５３１、５４１は、電気駆動制御システム５２０（ローカル制御キュービクル）とデジタル通信している（５３、５６、５９）。この目的のために、モータ作動式動作装置５２１、５３１、５４１には、対応するモータ作動式動作装置５２１、５３１、５４１のうちの前記１つ以上の動作状態を示すデジタル信号５３、５６、５９を前記電気駆動制御システム５２０に送信するように適合されたデジタルインターフェイス５１、５４、５７が都合よく設けられる。
【００５２】
多機能統合高電圧スイッチギヤ１００のこの実施形態の際立った特徴のうちの１つは、モータ作動式動作装置５２１、５３１、５４１に通常存在する補助接触子および関連する機械的システムが、対応する電気機器５０２、５０３、５０４の動作状態を検出し、前記動作状態を示す信号５２、５５、５８を出力するように適合されたトランスデューサを含む電子ユニットによって置き換えられるという事実によって与えられる。
【００５３】
上述のデジタルインターフェイス５１、５４、５７はその場合、モータ作動式動作装置５２１、５３１、５４１または電気駆動制御システム５２０（ローカル制御キュービクル）に位置し得る、トランスデューサ信号処理および位置制御５２、５５、５８のための電子基板を有利に含む。
【００５４】
電気駆動制御システム５２０は、ある数のモータ作動式動作装置５２１、５３１、５４１を単一の基板を用いてＡ／Ｄ変換なしで管理することができ、それにより、空間、コストを節約し、変動性を強力に減少させる。
【００５５】
さらに、電気駆動制御システム５２０のプログラマブル電子機器が、公差を失敗なく補償するようにトランスデューサの自動オフセットを可能にするため、複雑な機械的調節は必要ない。
【００５６】
さらに、トランスデューサを有する電子ユニットは、機械的な補助接触子システムと比較して一般によりコンパクトでより低コストであり、それにより、さまざまな機器（断路器、接地スイッチ、高速作動接地スイッチ、組み合わされた断路器および接地スイッチ）のための、より小さくより経済的なモータ作動式動作装置５２１、５３１、５４１（電気駆動装置）をもたらす。
【００５７】
最後に、前述のように、従来の方策の使用は、駆動筐体に組み込まれ得る補助接触子の最大数に起因して、制御能力の制限となる場合がある。この問題は通常、ＬＣＣにおけるリレーの使用によって克服されるが、それはコストおよび空間占有を増加させる。ここに開示されるような電気駆動制御システム５２０および関連する特徴の使用は、制御のための入力が事実上無限であるため、この問題を本質的に解決する。
【００５８】
このように考案された多機能統合高電圧スイッチギヤにいくつかの変更を加えることが可能であり、それらはすべて、添付された請求項の範囲内に含まれる。実際には、使用される材料、ならびに、付随する寸法および形状は、要件および従来技術に従ったあらゆるものであり得る。
【図１】
2021527381.tif 000003
【図２】
2021527381.tif 000004
【図３】
2021527381.tif 000005
【国際調査報告】
2021527381.tif 000006
2021527381.tif 000007
2021527381.tif 000008